【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
非リアルタイムの映像処理に係る第１の処理命令を記憶する第１の記憶手段と、
リアルタイムの映像処理に係る第２の処理命令を記憶する第２の記憶手段と、
前記第１の記憶手段に記憶された前記第１の処理命令と前記第２の記憶手段に記憶された第２の処理命令の一方を読み出し、前記第１の処理命令に従って非リアルタイムの映像処理を実行すると共に、前記第２の処理命令に従ってリアルタイムの映像処理を実行する命令実行手段と、
前記第１の処理命令に従う前記非リアルタイムの映像処理が完了した段階で前記第１の処理命令が前記第１の記憶手段に記憶され且つ前記第２の処理命令が前記第２の記憶手段に記憶されていた場合、前記第２の記憶手段に記憶された前記第２の命令に従って前記リアルタイムの映像処理を実行するように前記命令実行手段を制御する命令管理手段とを備える映像処理装置。
【請求項２】
前記命令管理手段は、前記第１の処理命令を優先するように設定された状態において、前記第１の処理命令に従う前記非リアルタイムの映像処理が完了した段階で前記第１の処理命令が前記第１の記憶手段に記憶され且つ前記第２の処理命令が前記第２の記憶手段に記憶されていた場合、前記１の記憶手段に記憶された前記第１の処理命令に従って前記非リアルタイムの映像処理を実行するように前記命令実行手段を制御することを特徴とする請求項１に記載の映像処理装置。
【請求項３】
前記命令管理手段は、前記第１の処理命令を優先するように設定された状態において、一連のコマンドに係る複数の前記第１の処理命令の一つに従う前記非リアルタイムの映像処理が完了した段階で前記一連のコマンドに係る残りの前記第１の処理命令が前記第１の記憶手段に記憶され且つ前記第２の処理命令が前記第２の記憶手段に記憶されていた場合、前記一連のコマンドに係る複数の第１の処理命令の最後の処理命令に従う前記非リアルタイムの映像処理が完了するまで前記第２の記憶手段に記憶された第２の処理命令の実行を停止し、前記最後の処理命令に従う前記非リアルタイムの映像処理が完了した後、前記第２の記憶手段に記憶された前記第２の処理命令に従って前記リアルタイムの映像処理を実行するように前記命令実行手段を制御することを特徴とする請求項２に記載の映像処理装置。
【請求項４】
前記非リアルタイムの映像処理は、所定期間分の映像信号に対する処理を所定期間内に完了する必要がない処理であり、前記リアルタイムの映像処理は、前記所定期間分の映像信号に対する処理を前記所定期間内に完了する必要がある処理であることを特徴とする請求項１から３の何れか１項に記載の映像処理装置。
【請求項５】
前記第１の記憶手段はＣＰＵが設定した前記第１の処理命令を記憶し、前記第２の記憶手段は前記ＣＰＵが設定した前記第２の処理命令を記憶することを特徴とする請求項１から４の何れか１項に記載の映像処理装置。
【請求項６】
前記ＣＰＵが設定した前記第１の処理命令に従う前記非リアルタイムの映像処理が完了すると、前記ＣＰＵに対して割り込み信号を出力し、前記第１の記憶手段は前記割り込み信号に応じて前記ＣＰＵが設定した複数の前記第１の処理命令を記憶することを特徴とする請求項５に記載の映像処理装置。
【請求項７】
前記ＣＰＵが設定した前記第２の処理命令に従う前記リアルタイムの映像処理が完了すると、前記ＣＰＵに対して割り込み信号を出力し、前記第２の記憶手段は前記割り込み信号に応じて前記ＣＰＵが設定した一つの前記第２の処理命令を記憶することを特徴とする請求項５に記載の映像処理装置。
【請求項８】
非リアルタイムの映像処理に係る第１の処理命令を第１の記憶手段に記憶する工程と、
リアルタイムの映像処理に係る第２の処理命令を第２の記憶手段に記憶する工程と、
前記第１の記憶手段に記憶された前記第１の処理命令と前記第２の記憶手段に記憶された第２の処理命令の一方を読み出し、前記第１の処理命令に従って非リアルタイムの映像処理を実行すると共に、前記第２の処理命令に従ってリアルタイムの映像処理を実行する命令実行工程と、
前記第１の処理命令に従う前記非リアルタイムの映像処理が完了した段階で前記第１の処理命令が前記第１の記憶手段に記憶され且つ前記第２の処理命令が前記第２の記憶手段に記憶されていた場合、前記第２の記憶手段に記憶された前記第２の命令に従って前記リアルタイムの映像処理を実行するように前記命令実行工程を制御する命令管理工程とを備える映像処理方法。
【請求項９】
前記命令管理工程は、前記第１の処理命令を優先するように設定された状態において、前記第１の処理命令に従う前記非リアルタイムの映像処理が完了した段階で前記第１の処理命令が前記第１の記憶手段に記憶され且つ前記第２の処理命令が前記第２の記憶手段に記憶されていた場合、前記１の記憶手段に記憶された前記第１の処理命令に従って前記非リアルタイムの映像処理を実行するように前記命令実行工程を制御することを特徴とする請求項８に記載の映像処理方法。
【請求項１０】
前記命令管理工程は、前記第１の処理命令を優先するように設定された状態において、一連のコマンドに係る複数の前記第１の処理命令の一つに従う前記非リアルタイムの映像処理が完了した段階で前記一連のコマンドに係る残りの前記第１の処理命令が前記第１の記憶手段に記憶され且つ前記第２の処理命令が前記第２の記憶手段に記憶されていた場合、前記一連のコマンドに係る複数の第１の処理命令の最後の処理命令に従う前記非リアルタイムの映像処理が完了するまで前記第２の記憶手段に記憶された第２の処理命令の実行を停止し、前記最後の処理命令に従う前記非リアルタイムの映像処理が完了した後、前記第２の記憶手段に記憶された前記第２の処理命令に従って前記リアルタイムの映像処理を実行するように前記命令実行工程を制御することを特徴とする請求項８に記載の映像処理方法。
【請求項１１】
前記非リアルタイムの映像処理は、所定期間分の映像信号に対する処理を所定期間内に完了する必要がない処理であり、前記リアルタイムの映像処理は、前記所定期間分の映像信号に対する処理を前記所定期間内に完了する必要がある処理であることを特徴とする請求項８から１０の何れか１項に記載の映像処理方法。
【請求項１２】
ＣＰＵが設定した前記第１の処理命令を前記第１の記憶手段に記憶し、前記ＣＰＵが設定した前記第２の処理命令を前記第２の記憶手段に記憶することを特徴とする請求項８から１１の何れか１項に記載の映像処理方法。
【請求項１３】
前記ＣＰＵが設定した前記第１の処理命令に従う前記非リアルタイムの映像処理が完了すると、前記ＣＰＵに対して割り込み信号を出力し、前記第１の記憶手段は前記割り込み信号に応じて前記ＣＰＵが設定した複数の前記第１の処理命令を記憶することを特徴とする請求項１２に記載の映像処理方法。
【請求項１４】
前記ＣＰＵが設定した前記第２の処理命令に従う前記リアルタイムの映像処理が完了すると、前記ＣＰＵに対して割り込み信号を出力し、前記第２の記憶手段は前記割り込み信号に応じて前記ＣＰＵが設定した一つの前記第２の処理命令を記憶することを特徴とする請求項１２に記載の映像処理方法。
【手続補正２】
【補正対象書類名】明細書
【補正対象項目名】発明の名称
【補正方法】変更
【補正の内容】
【発明の名称】映像処理装置及び映像処理方法
【手続補正３】
【補正対象書類名】明細書
【補正対象項目名】０００１
【補正方法】変更
【補正の内容】
【０００１】
本発明は映像処理装置及び映像処理方法に関し、特に、ディジタル信号をリアルタイム処理するために用いて好適な技術に関する。
【手続補正４】
【補正対象書類名】明細書
【補正対象項目名】００１８
【補正方法】変更
【補正の内容】
【００１８】
本発明の映像処理装置は、非リアルタイムの映像処理に係る第１の処理命令を記憶する第１の記憶手段と、リアルタイムの映像処理に係る第２の処理命令を記憶する第２の記憶手段と、前記第１の記憶手段に記憶された前記第１の処理命令と前記第２の記憶手段に記憶された第２の処理命令の一方を読み出し、前記第１の処理命令に従って非リアルタイムの映像処理を実行すると共に、前記第２の処理命令に従ってリアルタイムの映像処理を実行する命令実行手段と、前記第１の処理命令に従う前記非リアルタイムの映像処理が完了した段階で前記第１の処理命令が前記第１の記憶手段に記憶され且つ前記第２の処理命令が前記第２の記憶手段に記憶されていた場合、前記第２の記憶手段に記憶された前記第２の命令に従って前記リアルタイムの映像処理を実行するように前記命令実行手段を制御する命令管理手段とを備える。
【手続補正５】
【補正対象書類名】明細書
【補正対象項目名】００１９
【補正方法】変更
【補正の内容】
【００１９】
本発明の映像処理方法は、非リアルタイムの映像処理に係る第１の処理命令を第１の記憶手段に記憶する工程と、リアルタイムの映像処理に係る第２の処理命令を第２の記憶手段に記憶する工程と、前記第１の記憶手段に記憶された前記第１の処理命令と前記第２の記憶手段に記憶された第２の処理命令の一方を読み出し、前記第１の処理命令に従って非リアルタイムの映像処理を実行すると共に、前記第２の処理命令に従ってリアルタイムの映像処理を実行する命令実行工程と、前記第１の処理命令に従う前記非リアルタイムの映像処理が完了した段階で前記第１の処理命令が前記第１の記憶手段に記憶され且つ前記第２の処理命令が前記第２の記憶手段に記憶されていた場合、前記第２の記憶手段に記憶された前記第２の命令に従って前記リアルタイムの映像処理を実行するように前記命令実行工程を制御する命令管理工程とを備える。
【手続補正６】
【補正対象書類名】明細書
【補正対象項目名】００２０
【補正方法】削除
【補正の内容】
【手続補正７】
【補正対象書類名】明細書
【補正対象項目名】００２２
【補正方法】変更
【補正の内容】
【００２２】
（第１の実施形態）
図３は、本発明の実施形態の映像信号処理装置が適用される装置の一例を示し、符号化された映像信号が記録された光ディスクを再生可能な光ディスク再生装置の構成を示すブロック図である。以下に、図３を参照しながら光ディスク再生装置の構成する各処理部の説明をする。なお、本実施形態の映像信号処理装置は、リアルタイム映像処理命令及び非リアルタイム映像処理命令の両方を実行可能な映像信号処理装置である。